(57)【要約】  マーキング装置及びその使用方法は、物体を位置合わせテンプレートとして用いて物体を取り付け面に所望の位置合わせ状態でブラインド的にスライドマウントしやすくする。このマーキング装置は、ポスト要素と、保持要素と、締め付け要素と、カバーとを有する。保持要素は、マーキング装置が物体に設けられている取り付けスロットを捕捉することができるよう弾性付勢力に抗して動くことができる。弾性付勢力は、保持要素を把持位置に動かし、カバーを回転させると締め付け要素が物体に対するマーキング装置の把持を確実にすることができる。物体を取り付け面と位置合わせてして取り付け面に向かって押すと、カバーは、弾性付勢力に抗して動いてマーキング装置のマーキング端部が取り付け面に接触することができるようにし、それにより物体のスライドマウントスロットに支持可能に係合するよう締結具の装着に適した場所をマーキングすることができる。
2018534165.tif 000002
【特許請求の範囲】
【請求項１】
物体を位置合わせテンプレートとして用いて物体を取り付け面に所望の位置合わせ状態でブラインド的にスライドマウントしやすくするマーキング装置であって、前記マーキング装置は、
（ａ）ヘッド部分、マーキング端部及び主軸線に沿って前記ヘッド部分と前記マーキング端部との間に延びるシャフト部分を含むポスト要素を有し、前記シャフト部分は、少なくとも部分的にねじ山付きであり、
（ｂ）前記ポスト要素に対して前記主軸線に沿って閉鎖位置と開放位置と前記閉鎖位置と前記開放位置との間の把持位置との間で動くことができる物体保持要素を有し、
（ｉ）前記物体保持要素は、前記閉鎖位置に向かって弾力的に付勢されており、
（ｉｉ）前記閉鎖位置から前記開放位置への前記物体保持要素の運動の結果として、前記物体の取り付けリップを受容するリップ溝が得られ、前記リップ溝は、前記ヘッド部分と前記物体保持要素との間の隙間距離によって少なくとも部分的に構成され、
（ｉｉｉ）前記開放位置から前記把持位置への前記物体保持要素の運動の結果として、把持力によって前記取り付けリップを前記リップ溝内に固定するために前記隙間距離が減少し、
（ｃ）解除位置とロック位置との間で前記シャフト部分に沿って螺進可能な締め付け要素を有し、それにより、前記締め付け要素は、
（ｉ）前記解除位置にあるとき、前記閉鎖位置と前記開放位置との間における前記物体保持要素の運動を可能にし、
（ｉｉ）前記ロック位置にあるとき、前記把持位置から前記開放位置に向かう前記物体保持要素の運動を阻止し、
（ｉｉｉ）前記把持力の調節可能性を有効にするよう構成され、
（ｄ）カバー要素を有し、前記カバー要素は、前記締め付け要素に係合して前記主軸線回りの前記カバー要素と前記締め付け要素との相対回転運動を制限する一方で前記カバー要素と前記締め付け要素との相対軸方向運動を可能にするよう構成されている、マーキング装置。
【請求項２】
前記物体保持要素は、前記主軸線の半径方向に延びる１つ又は２つ以上のフィンガーグリップ部分を含む、請求項１記載のマーキング装置。
【請求項３】
（ａ）前記カバー要素は、表面係合部分を含み、前記カバー要素は、伸長位置とマーキング位置との間で前記主軸線に沿って前記ポスト要素に対して動くことができ、
（ｂ）前記表面係合部分は、
（ｉ）前記カバー要素が前記伸長位置にあるとき、前記マーキング端部を越えて軸方向に延び、
（ｉｉ）前記カバー要素が前記マーキング位置にあるとき、前記マーキング端部と軸方向に位置合わせされ又は前記マーキング端部の内方に位置する、請求項１記載のマーキング装置。
【請求項４】
前記カバー要素は、前記伸長位置に向かって弾性的に付勢されている、請求項３記載のマーキング装置。
【請求項５】
ばね要素を更に有し、その弾力的付勢力及び弾性的付勢力は、前記ばね要素によって提供される、請求項４記載のマーキング装置。
【請求項６】
弾力的付勢力及び弾性的付勢力は、前記物体保持要素によって提供される、請求項４記載のマーキング装置。
【請求項７】
前記ポスト要素に取り付けられたカバー保持戻り止めを更に有し、前記カバー保持戻り止めは、
（ａ）前記カバー要素を前記ポスト要素上に軸方向に保持し、
（ｂ）前記カバー要素が前記伸長位置にあるとき、前記表面係合部分と前記マーキング端部との間の軸方向距離を制限する、請求項４記載のマーキング装置。
【請求項８】
前記カバー保持戻り止めは、
（ａ）前記ポスト要素に回転不能に固定され、
（ｂ）トルクがけツールと係合するよう構成されている、請求項７記載のマーキング装置。
【請求項９】
前記カバー保持戻り止めは、前記トルクがけツールと係合可能な１対の互いに反対側に設けられたトルク係合溝を有する、請求項８記載のマーキング装置。
【請求項１０】
前記把持力の前記調節可能性により、前記マーキング装置を前記物体に剛性的に取り付けるのに十分前記把持力を増大させる、請求項１記載のマーキング装置。
【請求項１１】
前記締め付け要素は、少なくとも１つの半径方向に延びる位置合わせ部材を含み、前記カバー要素は、前記少なくとも１つの位置合わせ部材を軸方向に摺動可能に受け入れる少なくとも１つの軸方向に延びるスロットを有し、それにより、
（ａ）前記主軸線回りにおける前記締め付け要素と前記カバー要素との相対回転運動を制限し、
（ｂ）前記締め付け要素と前記カバー要素との相対軸方向運動を可能にする、請求項１記載のマーキング装置。
【請求項１２】
遠位端部、送り出し部分、及び前記遠位端部と前記送り出し部分との間に位置するリザーバを有するアプリケータ本体を含むマーキングアプリケータを更に有し、前記リザーバは、マーキング物質を収容し、前記送り出し部分は、前記マーキング物質のマーキングパッチを前記マーキング端部に被着させるために前記ポスト要素に係合するよう構成されている、請求項１記載のマーキング装置。
【請求項１３】
前記アプリケータ本体は、前記カバー要素に取り外し可能に固定可能であり、
前記アプリケータ本体が前記カバー要素に固定された状態で前記カバー要素がマーキング位置に向かって動かされると、前記マーキングアプリケータは、前記マーキングパッチを前記マーキング端部に貼付するよう構成されている、請求項１２記載のマーキング装置。
【請求項１４】
送り出し位置は、前記マーキング端部のところで前記シャフト部分のセグメントに受容的に結合するようになっており、前記マーキングアプリケータは、前記リザーバ中に軸方向に作動可能に延びるプランジャシャフトを備えたプランジャ要素を含む、請求項１２記載のマーキング装置。
【請求項１５】
受容的付着は、前記送り出し部分と前記マーキング端部のところの前記シャフト部分の前記セグメントとの螺合によって行われ、軸方向作動可能性は、前記アプリケータ本体と前記プランジャシャフトとの螺合によって行われる、請求項１４記載のマーキング装置。
【請求項１６】
前記ヘッド部分は、１つ又は２つ以上の摩擦係合ファセットを有する内側フェースを含む、請求項１記載のマーキング装置。
【請求項１７】
前記１つ又は２つ以上のファセットは、ゴム入り被膜、グリット、スパイク、ロックワッシャ及びローレット目から成る群から選択される、請求項１６記載のマーキング装置。
【請求項１８】
前記ポスト要素は、前記シャフト部分の側方に設けられた回転戻り止め部材を含み、前記回転戻り止め部材は、前記物体を保持要素に係合して前記主軸線回りの前記物体保持要素に対する前記ポスト要素の回転を制限し又は阻止するよう構成されている、請求項１記載のマーキング装置。
【請求項１９】
前記物体保持要素と前記締め付け要素との間で前記シャフト部分の回りに軸方向に設けられたスペーサ要素を更に有し、前記スペーサ要素は、前記回転戻り止め部材の少なくとも一部分を受け入れるよう構成されている、請求項１８記載のマーキング装置。
【請求項２０】
前記物体保持要素は、視覚的に知覚可能な回転配向インジケータを含む、請求項１８記載のマーキング装置。
【請求項２１】
物体を位置合わせテンプレートとして用いて物体を取り付け面に所望の位置合わせ状態でブラインド的にスライドマウントする方法であって、前記方法は、
取り付け面にブラインド的にスライド取り付けするための物体を選択するステップを含み、前記物体は、少なくとも１つのスライドマウントスロットを有し、前記少なくとも１つのスライドマウントスロットは各々、対応の取り付けリップ及びスロット閉鎖端部を有し、
マーキング装置を用意するステップを含み、前記マーキング装置は、
（ａ）ヘッド部分、マーキング端部及び主軸線に沿って前記ヘッド部分と前記マーキング端部との間に延びるシャフト部分を含むポスト要素を有し、前記シャフト部分は、少なくとも部分的にねじ山付きであり、
（ｂ）前記ポスト要素に対して前記主軸線に沿って閉鎖位置と開放位置と前記閉鎖位置と前記開放位置との間の把持位置との間で動くことができる物体保持要素を有し、
（ｉ）前記物体保持要素は、前記閉鎖位置に向かって弾力的に付勢されており、
（ｉｉ）前記閉鎖位置から前記開放位置への前記物体保持要素の運動の結果として、対応の前記取り付けリップを受容するリップ溝が得られ、前記リップ溝は、前記ヘッド部分と前記物体保持要素との間の隙間距離によって少なくとも部分的に構成され、
（ｉｉｉ）前記開放位置から前記把持位置への前記物体保持要素の運動の結果として、把持力によって前記対応の取り付けリップを前記リップ溝内に固定するために前記隙間距離が減少し、
（ｉｖ）前記物体保持要素は、前記主軸線の半径方向に延びる１つ又は２つ以上のフィンガーグリップ部分を有し、
（ｃ）解除位置とロック位置との間で前記シャフト部分に沿って螺進可能な締め付け要素を有し、それにより、前記締め付け要素は、
（ｉ）前記解除位置にあるとき、前記閉鎖位置と前記開放位置との間における前記物体保持要素の運動を可能にし、
（ｉｉ）前記ロック位置にあるとき、前記把持位置から前記開放位置に向かう前記物体保持要素の運動を阻止し、
（ｉｉｉ）前記把持力の調節可能性を有効にするよう構成され、
（ｄ）カバー要素を有し、前記カバー要素は、前記締め付け要素に係合して前記カバー要素と前記締め付け要素との相対回転運動を制限する一方で前記カバー要素と前記締め付け要素との相対軸方向運動を可能にするよう構成され、前記カバー要素は、表面係合部分を含み、前記カバー要素は、前記伸長位置とマーキング位置との間で前記主軸線に沿って前記ポスト要素に対して動くことができ、前記カバー要素は、前記伸長位置に向かって弾性的に付勢され、前記表面係合部分は、
（ｉ）前記カバー要素が前記伸長位置にあるとき、前記マーキング端部を越えて軸方向に延び、
（ｉｉ）前記カバー要素が前記マーキング位置にあるとき、前記マーキング端部と軸方向に位置合わせされ又は前記マーキング端部の内方に位置し、
前記物体保持要素をその開放位置まで動かすステップを含み、
前記ヘッド部分を対応の前記スライドマウントスロット中に挿入するステップを含み、
前記リップ溝を前記スロット閉鎖端部のところでの対応の前記取り付けリップの受容状態にスライドさせるステップを含み、
前記物体保持要素がその把持位置まで動くことができるようにするステップを含み、
前記カバー要素を回転させて前記締め付け要素のロック位置に螺進可能に移動させるステップを含み、
マーキング物質を前記マーキング端部に塗布するステップを含み、
前記表面係合部分が前記取り付け面と接触した状態で前記物体を前記取り付け面に沿って所望の取り付け位置合わせ状態に位置決めするステップを含み、
前記物体を前記取り付け面の方に押して前記カバー要素がそのマーキング位置まで動くようにし、それによりある量の前記マーキング物質を前記マーキング端部から前記取り付け面上の対応のマーク配設場所に移すステップを含み、
対応のスライドマウント締結具を前記マーク配設場所に取り付けるステップを含み、
前記物体を前記スライドマウント締結具と対応の前記スライドマウントスロットとの取り付け係合によって前記取り付け面に取り付けるステップを含む、方法。
【請求項２２】
（ａ）前記選択ステップにおいて、前記選択された物体は、２つ又は３つ以上の前記スライドマウントスロットを有し、
（ｂ）前記用意ステップは、１つ又は２つ以上の追加の前記マーキング装置を用意するステップを含み、
（ｃ）残りの前記ステップは、前記マーキング装置の全てと関連して実施される、請求項２１記載の方法。
【請求項２３】
前記物体保持要素をその開放位置に動かす前記ステップは、片手を用いて、前記表面係合部分を横切って位置する前記片手の親指及び前記１つ又は２つ以上のフィンガーグリップ部分を把持した前記片手の指で前記カバー要素と前記物体保持要素を互いに向かって引き絞ることによって達成される、請求項２１記載の方法。
【請求項２４】
（ａ）前記マーキング装置は、前記ポスト要素に取り付けられたカバー保持戻り止めを更に有し、前記カバー保持戻り止めは、
（ｉ）前記カバー要素を前記ポスト上に軸方向に保持し、
（ｉｉ）前記カバー要素が前記伸長位置にあるとき、前記表面係合部分と前記マーキング端部との間の軸方向距離を制限し、
（ｉｉｉ）前記ポスト要素に回転不能に固定され、
（ｂ）前記方法は、
（ｉ）回転ステップ中、引っ張り力を対応の前記スライドマウントスロット軸方向外方に前記カバー要素に加えるステップを更に含む、請求項２１記載の方法。
【請求項２５】
（ａ）前記マーキング装置は、前記ポスト要素に取り付けられたカバー保持戻り止めを更に有し、前記カバー保持戻り止めは、
（ｉ）前記カバー要素を前記ポスト上に軸方向に保持し、
（ｉｉ）前記カバー要素が前記伸長位置にあるとき、前記表面係合部分と前記マーキング端部との間の軸方向距離を制限し、
（ｉｉｉ）前記ポスト要素に回転不能に固定され、
（ｂ）前記方法は、
（ｉ）前記回転ステップ中、前記カバー保持戻り止めとトルクがけツールの係合によって前記主軸線回りの前記ポスト要素の回転を阻止するステップを更に含む、請求項２１記載の方法。
【請求項２６】
前記カバー保持戻り止めは、前記トルクがけツールと係合可能な１対の互いに反対側に設けられたトルク係合溝を有する、請求項２５記載のマーキング装置。
【請求項２７】
締結具により物体を取り付け面にスライドマウントしやすくするよう前記物体に取り付けられる安全確実スライドマウントアダプタであって、
ベースプレートと、
締結具ヘッド開口部とスロット閉鎖端部との間に設けられた曲がりくねった経路に沿って延びる締結具スロットとを有し、前記締結具スロットの少なくとも一部分は、ヘッドチャネル部分及び細いシャフトチャネル部分を有し、前記シャフトチャネル部分は、内方に突き出た取り付けリップによって少なくとも部分的に構成されている、安全確実スライドマウント式アダプタ。
【請求項２８】
前記締結具スロットは、近位軸線に沿って前記スロット閉鎖端部から延びる近位セグメントと、遠位軸線に沿って前記締結具ヘッド開口部から延びる遠位セグメントと、前記近位セグメントと前記遠位セグメントとの間に延びる中間セグメントとを含み、前記近位セグメントと前記遠位セグメントは、互いに側方にオフセットしている、請求項２７記載の安全確実スライドマウント式アダプタ。
【請求項２９】
前記シャフトチャネル部分は、前記近位セグメントのところよりも前記中間セグメントのところの方が大きいシャフトチャネル幅を有する、請求項２８記載の安全確実スライドマウント式アダプタ。
【請求項３０】
前記中間セグメントは、中間軸線に沿って延び、前記近位軸線と前記遠位軸線は、互いに平行であり、前記中間軸線は、前記近位軸線に対して１８０°未満の角度をなして差し向けられている、請求項２８記載の安全確実スライドマウント式アダプタ。
【請求項３１】
前記ベースプレートは、前記安全確実スライドマウント式アダプタを前記物体に取り付ける際に用いられる少なくとも２つの取り付け孔を有する、請求項２８記載の安全確実スライドマウント式アダプタ。
【請求項３２】
前記締結具ヘッド開口部は、前記ベースプレートの周縁部のところに位置している、請求項２７記載の安全確実スライドマウント式アダプタ。
【発明の詳細な説明】
【技術分野】
【０００１】
本明細書における開示内容、すなわち本発明は、一般に、物体を取り付け構造体に取り付ける器具又は装置及び方法に関する。特に、本発明は、取り付けられた物体の所望の位置合わせが結果として得られるような仕方でスライドマウント式（滑らせて取り付ける）締結具を支持壁又は他の構造体に配置しやすくする器具又は装置及び方法に関する。
【０００２】
〔関連出願の説明〕
本願は、２０１５年９月２２日に出願された米国特許仮出願第６２／２２２，０９１号の権益主張出願であり、この米国特許仮出願を参照により引用し、全ての目的についてその記載内容全体を本明細書の一部とする。
【背景技術】
【０００３】
多くの物体は、物体を表面、例えば、壁、机の下側、キャビネットの内部などに取り付けることができるようにする１つ又は２つ以上のブラインド的スライドマウント式手段、例えば、鍵穴を備えている。各かかる手段は、一般に、物体が取り外し可能に取り付けられる表面の外方に延びる締結具の一部分を受け入れるようになっている。取り付け面上におけるかかる締結具の位置合わせは、典型的には、取り付け穴テンプレートを用いるか２つ又は３つ以上のスライドマウントの場合、物体スライドマウント相互間の距離を手で計測することによって達成される。
【０００４】
テンプレートが良好な精度をもたらすが、物体を再取り付けする必要がある場合が多く、元のテンプレートは、もはや利用できず又は製造業者は、テンプレートをそもそも提供したことは一度もない。一般に、この結果、穴の相互間隔の測定方法を必要とする２つ又は３つ以上のスライドマウントの場合、作図もしくはコピー機又は使用により新たなテンプレートを作る出す必要がある。
【０００５】
穴相互間の間隔測定法は、特に観察するのが困難であった手が届きにくい領域内にある場合、時間がかかりしかも誤差を生じがちである。また、取り付け面にも受けられている取り付け穴がほんの僅かでも外れている場合、物体の取り付けを行うことができない。
【０００６】
さらに、上述の従来方法のどれも、取り付けられるべき物体の物理的三次元特性又は物体がいったん取り付けられたときに物体のフィット感又は見栄えに影響を及ぼす場合のある近くの他の物品を考慮していない。前者に関して一例を挙げると、電源コードが一端から延びているテーブルタップの場合を考える。これが締結具位置合わせプロセス中を考慮に入れられない場合、かかる締結具の存在場所の結果として、テーブルタップは、電源コードが近くの障害物の邪魔になるので取り付けることができない場合がある。後者の一例として、取り付け穴は、完全に水平であるように配置されるのが良いが、近くの物体が完全には水平ではない場合、その結果として望ましい外観が生じる場合がある。
【０００７】
また、どのマウントシステムにも付属していない又は測定を必要とするマウントシステムに付属している多くの物体、例えば特定の絵画用額縁が存在する。また、単一の取り付け箇所（例えば、額吊りワイヤ物体）の場合、奮闘し続けても結果としては「曲がった」状態になってしまう。鍵穴マウント式アダプタは、取り付けのために物体に取り付けられるよう利用でき、これら２つ使用することは、取り付けられたままの状態で常時ぶら下がっているという結果を得るのに有益な場合がある。しかしながら、これらアダプタは、用いられないのが通例である。その理由は、アダプタの精確な配置特性を利用しなければならず、しかも取り付けハードウェア配置場所を正確に定めるのに関連の困難さを有することであり、２つ又は３つ以上の増設アダプタの場合、取り付け穴存在場所を正確に得るのが極めて困難であり、その結果、物体がある量の永続的な望ましくない角度でぶら下がる恐れが生じる。加うるに、従来型鍵穴マウント式アダプタは、単一の直線スロットを有し、この単一の直線スロットは、取り付けられた物体が地震などによって生じる物体の一軸運動によって取り付け面から外れやすくする。取り付け場所に応じて、結果として落下する物体が人身の安全性に対して相当な危険をもたらし又は物体に対して損傷を生じさせる場合がある。
【発明の概要】
【発明が解決しようとする課題】
【０００８】
鍵穴又は他のスライドマウント式特徴を備えた物体の位置合わせ状態の取り付けを容易にする安価で信頼性がありしかも使いやすい装置、キット及び方法が要望されている。また、物体に取り付け可能でありしかも物体又は取り付け面のランダムな運動の結果として、物体が外れ状態になる恐れを著しく減少させる改良型の鍵穴又は他のスライドマウント式アダプタが要望されている。
【課題を解決するための手段】
【０００９】
先行技術のある特定の欠点は、本発明の装置、キット及び方法の実施形態の提供によって解決される。本明細書において開示する教示の実施形態の利点としては、（ａ）物体の構成材料とは無関係に、確実に物体の締め付けが行われて取り付け制御を保証し、（ｂ）事実上全てのブラインド的スライドマウント形態で機能し、（ｃ）取り付け面への望ましくないマークを付けるのを回避する一方で取り付けられるべき物体を位置決めする装置が提供されることにある。
【００１０】
本発明の別の利点は、添付の図面を参照して好ましい実施形態についての以下の詳細な説明の恩恵により当業者には明らかになろう。
【図面の簡単な説明】
【００１１】
【図１】本発明の一実施例としてのマーキング装置の概略斜視図である。
【図２】図１のマーキング装置の別の概略斜視図である。
【図３】図１のマーキング装置の概略分解組立図である。
【図４】本明細書において開示するマーキング装置のある特定の実施形態の例示のカバー要素の概略斜視図である。
【図５】図４に示された例示のカバー要素の概略断面図である。
【図６】物品保持要素がその開放位置に動かされ、それにより物品保持要素とポスト要素のヘッド部分との間にリップ隙間が提供されている例示のマーキング装置の概略斜視図である。
【図７】物品保持要素がその開放位置にある間における物品の取り付けスロット中へのポスト要素のヘッド部分の挿入の仕方を示す概略部分斜視図である。
【図８】カバー要素を回転させて締め付け要素をそのロック位置に動かしている間に例示のマーキング要素のシャフト部分が締結具スリットのスロット閉鎖端部のところに位置されるよう保持されている例示のマーキング装置の概略部分斜視図である。
【図９】１対のマーキング装置が物品にしっかりと取り付けられた状態の物品の概略斜視図であり、各取り付けスロットの取り付けリップが対応のマーキング装置のリップ溝内に固定されている状態を示す図である。
【図１０】各マーキング装置のカバー要素がそのマーキング位置まで動き、それによりある量のマーキング物質を対応のマーキング端部から取り付け面上の対応のマーク配設場所に移すよう物体を取り付け面の方へ押している状態を示す概略斜視図である。
【図１１】図３に示された例示のマーキング装置の概略断面図である。
【図１２】本発明の例示のマーキング装置の概略断面図であり、このマーキング装置がキャップ型マーキング先端アプリケータの一例を更に含むとともにマーキング装置が物品保持要素がその閉鎖位置にあり、カバー要素がその伸長位置にある状態でマーキング装置が示されている図である。
【図１３】図１２の概略断面図に類似した概略断面図であるが、物品保持要素がその開放位置にある状態で示す図である。
【図１４】図１３の概略断面図に類似した概略断面図であるが、ポスト要素のヘッド部分が物体の取り付けスロットの締結具ヘッド開口部中に挿入された状態を示す図である。
【図１５】図１４の装置の概略断面図であるが、物体保持要素が把持位置にあり、締め付け要素がその解除位置にある状態を示す図である。
【図１６】図１５の概略断面図に類似した概略断面図であるが、カバー要素を回転させて締め付け要素をそのねじ式にそのロック又は保持位置まで移動させて物体スロットリップをヘッド部分と物体保持要素との間にクランプ作用で固定している状態を示す図である。
【図１７】図１６の１７−１７線矢視概略断面図である。
【図１８】例示のマーキング装置及びプランジャ型マーキングアプリケータの概略断面図である。
【図１９】図１８の例示の装置及びプランジャ型マーキングアプリケータの概略断面図であり、アプリケータ本体がそのマーキング端部の近くでポスト要素にねじ作用で固定されている状態を示す図である。
【図２０】図１８の例示の装置及びプランジャ型マーキングアプリケータの概略断面図であり、プランジャ要素がアプリケータ本体を通って内方にねじ作用で作動され、それによりマーキング物質のパッチをマーキング端部に押し付けた状態を示す図である。
【図２１】図１８の例示の装置及びプランジャ型マーキングアプリケータの概略断面図であり、アプリケータ本体がねじ作用でポスト要素から取り外されている状態を示す図である。
【図２２】図１８の例示の装置及びプランジャ型マーキングアプリケータの概略断面図であり、アプリケータがマーキング物質を装置のマーキング先端部に塗布した後にマーキング装置から分離された状態を示す図である。
【図２３】図２１のマーキング装置の概略断面図であるが、カバー要素がその伸長位置にあってマーキングに先立って取り付け面に当てて位置決めされた形態でマーキング装置が示されている状態を示す図である。
【図２４】図２１の装置の概略断面図であるが、物体を取り付け面に向かって押し、それによりマーキング先端部がマーキング物質の対応のパッチを取り付け面上に配置することによってカバー要素がその引っ込み位置に押し込められた第６の形態でこの装置が示されている図である。
【図２５】取り付け面の概略部分断面図であり、装置により配置されたマークが取り付け面上に施され、締結具がマークのところに設置可能にマークと位置合わせされている状態を示す図である。
【図２６】取り付け面の概略部分断面図であり、締結具が装置配置マークの配設場所のところで取り付け面内に取り付けられた状態を示す図である。
【図２７】物体の鍵穴特徴部と締結具との係合により取り付け面に取り付けられた物体の概略部分断面図である。
【図２８】本発明のマーク図形アプリケータの別の例示の実施形態の概略斜視図である。
【図２９】図２８に示された実施形態の別の概略斜視図である。
【図３０】本発明のマーキング装置の更に別の例示の実施形態の概略斜視図である。
【図３１】図３０の例示の実施形態の概略分解組立図である。
【図３２】本発明のマーキング装置の更に別の実施形態の概略斜視図である。
【図３３】図３２の例示の実施形態の概略分解組立図である。
【図３４】本発明のマーキング装置の更に別の実施形態の概略斜視図である。
【図３５】図３４の例示の実施形態の概略分解組立図である。
【図３６】本発明のマーキング装置の更に別の例示の実施形態の概略断面図であり、物体保持要素の弾力的付勢力及びカバー要素の弾性的付勢力が物体保持要素によって提供されている状態を示す図である。
【図３７】図３６の概略断面図に類似した概略断面図であるが、物体保持要素が物体保持要素の弾性圧縮によってその開放位置に動かされた状態を示す図である。
【図３８】図３５の概略断面図に類似した概略断面図であるが、カバー要素が物体保持要素の弾性圧縮によってそのマーキング位置に動かされた状態を示す図である。
【図３９】図３６の概略断面図に類似した概略断面図であるが、物体保持要素がその開放位置に動かされ、カバー要素が物体保持要素の弾性圧縮によってそのマーキング位置に動かされた状態を示す図である。
【図４０】図３６のマーキング装置の概略平面図である。
【図４１】本発明のマーキング装置の更に別の例示の実施形態の概略斜視図であり、ポスト要素が回転戻り止め部材を含み、マーキング装置がスペーサ要素を有する状態を示す図である。
【図４２】図４１に示されたマーキング装置の実施形態のポスト要素、保持要素及びスペーサ要素の略図である。
【図４３】図４１の例示の実施形態の概略分解組立図である。
【図４４】図４１の実施形態の物体保持要素をその開放位置に動かした際に形成されるリップ溝の概略部分拡大図である。
【図４４Ａ】図１７の概略断面図に類似した概略断面図であるが、マーキング装置が固定されている特定のスライドマウントスロットに対する図４１のマーキングアプリケータのシャフト部分及び回転戻り止め部材のそれぞれの位置を示す図である。
【図４４Ｂ】図４１の機能に類似した機能を実行するマーキング装置の概略側面図であるが、スペーサ要素が物体保持要素と一体に形成されかつ弾性材料で作られている状態を示す図である。
【図４５】本発明のマーキング装置の更に別の例示の実施形態の概略斜視図であり、カバー保持戻り止めがトルクがけツールと係合可能な１対の互いに反対側に設けられたトルク係合溝を有する状態を示す図である。
【図４６】図４５に示されたマーキング装置の実施形態の概略分解組立図である。
【図４７】図４６のマーキングアプリケータの概略斜視図であり、このマーキングアプリケータがトルクがけツールがカバー保持戻り止めのトルク係合スロットに係合したときに用いられる１組の家庭用ピンセットを含み、それによりユーザがカバー要素を回転させながらポスト要素の回転を更に妨げ又は阻止することができる状態を示す図である。
【図４８】本発明のマーキング装置の更に別の例示の実施形態の概略斜視図であり、マーキング端部がねじ式カプラによってポスト要素のシャフト部分に結合されたマーキング端部ねじであることを示す図である。
【図４９】図４８に示されたマーキング装置の実施形態の概略分解組立図である。
【図５０】本発明のマーキング装置及びトルクがけツールの更に別の例示の実施形態の概略斜視図であり、トルクがけツールが物体保持要素のグリップ部分と係合可能な１つ又は２つ以上のねじりロックアームを有する状態を示す図である。
【図５１】互いに係合状態にある図５０のマーキング装置とトルクがけツールの概略斜視図であり、かくしてカバー要素を回転させて締め付け要素をそのロック位置に向かって動かしている間、トルクがけツールが物体保持要素に対するポスト要素の回転を阻止することができる状態を示す図である。
【図５２】スライドマウントスロットの一変形例としての形状を備えた物体の概略部分平面図である。
【図５３】スライドマウントスロットの別の変形例としての形状を備えた物体の概略部分平面図である。
【図５４】スライドマウントスロットの別の変形例としての形状を備えた物体の概略部分平面図である。
【図５５】スライドマウントスロットの別の変形例としての形状を備えた物体の概略部分平面図である。
【図５６】物体を位置合わせテンプレートとして用いて物体を所望の位置合わせ状態で取り付け面にブラインド的にスライドマウントする方法の例示の一実施形態を示す概略流れ図である。
【図５７】物体を取り付け面に取り付けやすくするために物体に取り付けられるようになった安全確実スライドマウント式アダプタの一実施例の概略正面図である。
【図５８】図５７に示された安全確実スライドマウント式アダプタの概略正面側斜視図である。
【図５９】図５７に示された安全確実スライドマウント式アダプタの概略背面図である。
【図６０】図５７に示された安全確実スライドマウント式アダプタの概略背面側斜視図である。
【図６１】１対の安全確実スライドマウント式アダプタが取り付けられた物体の概略背面図である。
【図６２】物体取り付け面に取り付けやすくするために物体に取り付けられるようになった安全確実スライドマウント式アダプタの別の実施例の概略正面図である。
【図６３】図６１に示された安全確実スライドマウント式アダプタの概略正面側斜視図である。
【図６４】図６１に示された安全確実スライドマウント式アダプタの概略背面図である。
【図６５】図６１に示された安全確実スライドマウント式アダプタの概略背面側斜視図である。
【図６６】図６１に示された安全確実スライドマウント式アダプタの概略背面図であり、シャフトチャネル部分が近位セグメントのところよりも中間セグメントのところの方が大きいシャフトチャネル幅を有していることを示す図である。
【図６７】使い捨てフィルムアプリケータシールを含む本発明のキャップ型マーキングアプリケータの一実施例の概略断面図である。
【図６８】図６７のキャップ型マーキングアプリケータに類似したキャップ型マーキングアプリケータの概略断面図であるが、取り外し可能なアプリケータシールが内部スナップ嵌め又は圧力嵌めによりマーキングアプリケータに係合するよう構成された状態を示す図である。
【図６９】図６８のキャップ型マーキングアプリケータに類似したキャップ型マーキングアプリケータの概略断面図であるが、取り外し可能なアプリケータシールが外部スナップ嵌め又は圧力嵌めによりマーキングアプリケータに係合するよう構成されている状態を示す図である。
【図７０】プランジャ型マーキングアプリケータの一実施例の概略断面図であり、取り外し可能なアプリケータシールが内部スナップ嵌め又は圧力嵌めによりアプリケータ本体の送り出し部分に係合するよう構成されている状態を示す図である。
【図７１】図７０のプランジャ型マーキングアプリケータの概略断面図であるが、取り外し可能なアプリケータシールがアプリケータ本体の送り出し部分に内部で螺合するよう構成されている状態を示す図である。
【図７２】図７０のプランジャ型マーキングアプリケータに類似したプランジャ型マーキングアプリケータの概略断面図であるが、取り外し可能なアプリケータシールが外部スナップ嵌め又は圧力嵌めによりアプリケータ本体の送り出し部分に係合するよう構成されている状態を示す図である。図である。
【図７３】本発明のブラインド的スライドマウント式マーキング装置、特にシャフト部分の側方に設けられた回転戻り止め部材を備えていない装置を用いる一全体的方法を示す例示の流れ図である。
【図７４】本発明のブラインド的スライドマウント式マーキング装置、特にシャフト部分の側方に設けられた回転戻り止め部材を有する装置を用いる別の全体的方法を示す例示の流れ図である。
【発明を実施するための形態】
【００１２】
次に、図面を参照すると、同一の参照符号は、幾つかの図全体にわたって同一又は対応の特徴を示している。
【００１３】
幾つかの図面を参照すると、物体を位置合わせテンプレートとして用いて物体１０２を所望の位置合わせ状態で取り付け面１０８にブラインド的にスライドマウントしやすくするマーキング装置の実施形態が全体を符号１００で示されている。マーキング装置１００のある特定の変形実施形態が参照符号１００ａ〜１００ｊで示されている。
【００１４】
本発明のマーキング装置の実施形態は、好ましくは、ポスト要素１１０、物体保持要素１２０、締め付け要素１４２及びカバー要素１３２を有するのが良い。ポスト要素１１０は、ヘッド部分１１２、マーキング端部１１４及び代表的には主軸線１１８に沿ってヘッド部分１１２とマーキング端部１１４との間に延びるシャフト部分１１６を含むのが良い。シャフト部分１１６は、少なくとも部分的にねじ山付きであるのが良い。
【００１５】
物体保持要素１２０は、保持フェース１２１、ポスト要素を挿通させることができるとともにポスト要素１１０に対し主軸線１１８に沿って閉鎖位置（例えば、図１、図２８、図３２、図３４及び図３６参照）と、開放位置（例えば、図６及び図１３参照）と、閉鎖位置と開放位置との間の把持位置（図１５及び図１６参照）との間で動くことができるポスト孔１２２を有するのが良い。物体保持要素１２０は、閉鎖位置に向かって弾力的に付勢されるのが良い。図６、図７、図１３及び図４４を参照すると、物体保持要素１２０を閉鎖位置から開放位置に動かすと、好ましくは、その結果として、物体１０２の取り付けリップ１０５を受け入れるリップ溝１２８が得られる。図１３を参照すると、リップ溝１２８は、ヘッド部分１１２と物体保持要素１２０との間の隙間距離１８４によって少なくとも部分的に構成されるのが良い。図１５を参照すると、物体保持要素１２０を開放位置から把持位置に動かすと、その結果として、把持力１８６によりリップ溝１２８内における取り付けリップ１０５の固定のための隙間距離が減少する。
【００１６】
図１５及び図１６を参照すると、締め付け要素１４２は、ねじ山付きであるのが良い主ボア１４４及び第１のトルク戻り止めを有するのが良く、この第１のトルク戻止めは、カバー要素１３２の第２のトルク戻り止め１４８と回転不能に係合可能である。締め付け要素は、シャフト部分１１６に沿って解除位置とロック位置との間で螺進可能であるのが良い。その結果、図１２及び図１３を参照すると、締め付け要素１４２は、これがその解除位置にあるとき、これにより閉鎖位置と開放位置との間における物体保持要素１２０の運動が可能になるよう構成されているのが良い。さらに、図１６を参照すると、締め付け要素１４２は、ロック位置にあるとき、把持位置から開放位置に向かう物体保持要素１２０の運動を阻止するよう構成されているのが良い。さらに、図１５及び図１６から明らかなように、締め付け要素が螺進可能であることにより、ヘッド部分１１２と物体保持要素１２０との間に生じる把持力１８６の調節可能性が有効になる。把持力１８６の有効可能性により、好ましくは、マーキング装置を物体１０２に剛性的に取り付けるのに十分把持力を増大することができる。図２４を参照すると、かかる剛性は、対応のマーキング１５４が取り付け面１０８上の適正な位置に配置されるようにするのを助ける。
【００１７】
カバー要素１３２は、締め付け要素孔１３４、マーキング先端チャンバ１３８及びロック戻り止め１４０を有するのが良い。カバー要素１３２は、締め付け要素との相対軸方向運動を可能にしながら主軸線１１８回りの締め付け要素１４２との相対回転運動を制限するよう締め付け要素１４２に係合するよう構成されているのが良い。マーキング装置の特に好ましい実施形態では、カバー要素１３２は、表面係合部分１３６を有するのが良く、このカバー要素は、ポスト要素１１０に対して主軸線１１８に沿って伸長位置（例えば、図２３参照）とマーキング位置（例えば、図２４参照）との間で動くことができるのが良い。図２３に示されているように、マーキング装置１００のある特定の好ましい実施形態では、定義上、表面係合部分１３６は、カバー要素１２０が伸長位置にあるとき、マーキング端部１１４を越えて軸方向に延びる。これと関連して、例えば、図２４に示されているように、定義上、表面係合部分１３６は、カバー要素１２０がマーキング位置にあるとき、マーキング端部１１４と実質的に軸方向に位置合わせされ又はこの内方に位置するのが良い。
【００１８】
物体保持要素１２０は、好ましくは主軸線１１８の半径方向に延びる１つ又は２つ以上のフィンガーグリップ部分１２４を含むのが良い。
【００１９】
マーキング装置１００の特定の好ましい実施形態では、カバー要素１３２は、その伸長位置に向かって弾性的に付勢されているのが良い。かかる弾性的付勢力は、例えば、ばね要素１２６などによるものであるのが良い。マーキング装置１００のある特定の好ましい実施形態では、物体保持要素１２０の弾力的付勢力とカバー要素１３２の弾性的付勢力が両方とも、同一のばね要素１２６によって提供されるのが良い。加うるに又は変形例として、例えば、図３６〜図３９を参照すると、弾力的付勢力及び弾性的付勢力は、物体保持要素１２０によって提供されても良い。かかる場合、物体保持要素１２０は、ばね鋼又はレジリエントポリマーで構成されるのが良く、この物体保持要素は、閉鎖輪郭断面を有するのが良い。
【００２０】
マーキング装置１００の特に好ましい実施形態は、ポスト要素１１０に取り付けられたカバー保持戻り止め１５０を更に有するのが良い。図１１、図３５及び図４３を参照すると、カバー保持戻り止め１５０は、例えば、１つ又は２つ以上のロックナット１５２ａ及び１つ又は２つ以上のワッシャ１５２ｂを含むのが良い。図１２及び図２３を参照すると、カバー保持モデル止め１５０は、カバー要素１３２をポスト要素１１０に取り付けた状態で軸方向に保持するよう構成されているのが良く、このカバー保持戻り止めは、カバー要素１３２がその伸長位置にあるとき、表面係合部分１３６とマーキング端部１１４との間の軸方向距離１８８を制限することができる。カバー保持モデル止め１５０は、ポスト要素１１０に回転不能に固定されるとともにカバー要素１３２を回転させて締め付け要素１４２をそのロック位置に動かしている間、ポスト要素１１０の回転を阻止するためにトルクがけツール１８２（例えば、電池）と係合するよう構成されているのが良い。マーキング装置、例えば、図４５〜図４７に示されているマーキング装置のある特定の実施形態では、カバー保持戻止り１５０は、トルクがけツール１８２と係合可能な１つ又は２つ以上のトルク係合溝１８３を有するのが良い。トルク係合溝１８３は、例えば、図４５に示されている１対の互いに反対側に設けられた溝であるのが良く、かくしてありふれた家庭用物体、例えば、ピンセットをトルクがけツール１８２として好都合に使用できる。
【００２１】
図３２及び図３３を参照すると、一実施形態としてのマーキング装置１００ｃでは、締め付け要素１４２は、少なくとも１つの半径方向に延びる位置合わせ部材１９０を含むのが良く、カバー要素１３２は、少なくとも１つの位置合わせ部材１９０を軸方向に摺動可能に受け入れる少なくとも１つの軸方向に延びるスロット１９２を含むのが良い。かかる形態により、主軸線１１８回りにおける締め付け要素１４２とカバー要素１３２との相対回転運動を上述したように制限することができるとともに締め付け要素１４２とカバー要素１３２との相対的軸方向運動の上述したように有効にすることができる。
【００２２】
図１２、図１８、及び図６７〜図７２を参照すると、マーキングアプリケータ（例えば、１５０ａ，１５５ｂ）を更に有するのが良く、このマーキングアプリケータは、遠位端部１５６、送り出し部分１６１、及び遠位端部１５６と送り出し部分１６０との間に位置するリザーバ１６４を有するアプリケータ本体１６２を含む。リザーバ１６４は、マーキング物質１５８を収容するのが良い。送り出し部分１６１は、マーキング物質１５８のマーキングパッチ１５４をマーキング端部１１４に被着させるためにポスト要素１１０に係合するよう構成されているのが良い。例えば、図１２〜図２２に示されているように、アプリケータ本体１６２は、カバー要素１３２に取り外し可能に固定可能であるのが良い。図１３〜図１５に示されているように、マーキングアプリケータ１５５ａのキャップ構成では、カバー要素１３２をアプリケータ本体１６２がカバー要素１３２に固定された状態でそのマーキング位置の方へ動かすと、マーキングアプリケータ１５５ａは、マーキングパッチ１５４をマーキング端部１１４に貼付するよう構成されているのが良い。
【００２３】
図１８〜図２２を参照すると、マーキングアプリケータ１５５ｂの送り出し部分１６１は、マーキング端部１１４のところのシャフト部分１１６のセグメントに受容的に結合するようになっているのが良い。かかるマーキングアプリケータは、リザーバ１６４中に軸方向に作動可能に延びるプランジャシャフト１６７を備えたプランジャ要素１６６を有するのが良い。シャフト部分１１６への送り出し部分１６１の受容的結合は、送り出し部分１６１とマーキング端部１１４のところのシャフト部分１１６のセグメントの螺合によるのが良い。マーキングアプリケータ１５５ｂのかかる実施形態では、軸方向作動可能性は、アプリケータ本体１６２とプランジャシャフト１６７との螺合によるのが良い。プランジャ要素を備えたマーキングアプリケータの変形実施形態では、プランジャシャフトとリザーバは、これら相互の非ねじ式軸方向摺動可能運動だけを可能にするよう構成されていても良い。
【００２４】
マーキング装置のある特定の好ましい実施形態では、ヘッド部分１１２は、１つ又は２つ以上の摩擦係合ファセットを備えた内側フェース１３０を有するのが良い。１つ又は２つ以上のファセットは、例えば、ゴム入り被膜２０２、グリット、スパイク、ロックワッシャ１９４、ローレット目、これらの組み合わせなどであるのが良い。
【００２５】
図４１〜図４４を参照すると、マーキング装置１００ｆの特に好ましい実施形態では、ポスト要素１１０は、シャフト部分１１６の側方に設けられた回転戻り止め部材２０４を含むのが良い。回転戻り止め部材２０４は、主軸線１１８回りの物体保持要素１２０に対するポスト要素１１０の回転を制限し又は阻止するよう物体保持要素１２０（例えば、回転戻り止め溝２０６のところ）に係合するよう構成されているのが良い。かかる実施形態は、物体保持要素１２０と締め付け要素１４２との間でシャフト部分１１６回りに軸方向に設けられたスペーサ要素２０８を更に有するのが良い。スペーサ要素２０８は、好ましくは、回転戻り止め要素２０４と締め付け要素１４２との機械的締まり嵌めを阻止するよう回転戻り止め要素２０４の少なくとも一部分を受け入れるよう構成されているのが良い。
【００２６】
図４４Ｂを参照すると、回転戻り止め部材２０４を備えたマーキング装置１００ｇの特定の実施形態では、スペーサ要素２０８は、例えば、物体保持要素１２０と一体に形成されるのが良い。例えば、この回転戻り止め要素１２０は、射出成形プラスチックで形成されるのが良く、この回転戻り止め要素１２０は、回転戻り止め部材２０４の軸方向終端部との間に間隔が必要な場合、回転戻り止め部材がこれとは違ってマーキング装置１００ｇの作動中に締め付け要素に機械的に係合する場合のある場所に厚い又は深絞り区分を有するよう形作られるのが良い。
【００２７】
図４１〜図４４に戻ってこれらを参照すると、回転戻り止め部材２０４を有するマーキング装置では、物体保持要素１２０は、好ましくは、視覚的に知覚可能な回転配向インジケータ２１０を有するのが良い。このインジケータ２１０は、例えば、物体保持要素１２０の中央に配置されるのが良い。図４４Ａを参照すると、かかるインジケータ２１０は、マーキング装置をスライドマウントスロット１０４内に収納したとき、ポスト要素１１０のシャフト部分１１６が回転戻り止め部材２０４が閉鎖スロット端部１７７のところに位置するのではなく、閉鎖スロット端部１７７のところに適正に位置決めする状態で行き着くようにするための容易な外部視覚的基準をマーキング装置のユーザに提供する。回転戻り止め部材２０４を有するマーキング装置の実施形態の重要な一利点は、かかる実施形態がポスト要素１１０の回転を阻止するためにヘッド部分１１２と物体１０２を取り付けるリップ１０５との摩擦係合を必要としないで全ての取り付けリップ材料を締め付けることができそうであるということにある。
【００２８】
物体１０２を位置合わせテンプレートとして用いて物体１０２を所望の位置合わせ状態で取り付け面１０８にブラインド的にスライドマウントする方法が一連のステップを含む。かかる方法３００の一例が図５６に示されている。特に、図示するとともに本明細書において説明する方法のステップは、任意特定の順序で実施される必要がない場合がある。
【００２９】
ブロック３０２では、取り付け面へのブラインド的スライドマウント向けの物体１０２を選択する。物体１０２は、一般に、少なくとも１つのスライドマウントスロット１０４を有する。各スライドマウントスロット１０４は、これに対応した締結具ヘッド開口部１０３、取り付けリップ１０５及びスロット閉鎖端部１７７を有する。ブロック３０４では、マーキング装置を用意する。用意したマーキング装置は、好ましくは、構造的及び機能的に本明細書においてどこか他の場所において説明するとともに図示した装置のうちの１つ又は２つ以上と一致する。ブロック３０６では、物体保持要素１２０をその開放位置に動かす（例えば、図１３参照）。ブロック３０８では、ヘッド部分１１２を対応のスライドマウントスロット１０４中に挿入する。ブロック３１０では、リップ溝１２８を滑らせてスロット閉塞端部１７７のところで対応の取り付けリップ１０５を受容させる（例えば、図１４参照）。ブロック３１２では、物体保持要素１２０をその把持位置に動かす（例えば、図１５参照）。ブロック３１４では、カバー要素１３２を回転させて締め付け要素１４２をそのロック位置に螺進させる（例えば、図１６参照）。ブロック３１６では、マーキング物質をマーキング端部１１４に塗布する。ブロック３１８では、物体１０２を表面係合部分１３６が取り付け面１０８と接触関係をなした状態で取り付け面１０８に沿って所望の取り付け位置合わせ状態に位置決めする（例えば、図１０及び図２３参照）。ブロック３２０では、物体１０２を取り付け面１０８の方へ押してカバー要素１３２がそのマーキング位置まで動くようにし、それによりある量のマーキング物質１５８をマーキング端部１１４から取り付け面１０８上の対応のマーク配設場所に移す（例えば、図２４参照）。ブロック３２２では、対応のスライドマウント締結具１０６をマーク配設場所に取り付ける（例えば、図２５及び図２６参照）。ブロック３２４では、物体１０２をスライドマウント締結具１０６と対応のスライドマウントスロット１０４との取り付け係合関係によって取り付け面１０８に取り付ける（例えば、図２７参照）。
【００３０】
例えば、符号３００で示されている方法では、選択ステップでは、選択した物体１０２は、２つ又は３つ以上のかかるスライドマウントスロット１０４を有するのが良い。かかる場合、マーキング装置を用意するステップは、本明細書において説明するマーキング装置を１つ又は２つ以上追加して設けるステップを含むのが良く、残りのステップは、提供されるマーキング装置の全てと関連して実施される。
【００３１】
図６を参照すると、例えば符号３００で示されている方法では、物体保持要素１２０をその開放位置に動かすステップは、好ましくは、片手を用いて表面係合部分１３６を横切って位置するその片手の親指及び保持要素１２０の１つ又は２つ以上のフィンガーグリップ部分１２４を把持した片手の指（親指以外の指）でカバー要素１３２と物体保持要素１２０を互いに向かって引き絞ることによって達成されるのが良い。
【００３２】
図２３を参照すると、例えば符号３００で示されている方法では、マーキング装置は、ポスト要素１１０に取り付けられたカバー保持戻り止め１５０を更に有するのが良い。かかる場合、カバー保持戻り止め１５０は、（ｉ）カバー要素１３２をポスト要素１１０に軸方向に保持し、（ｉｉ）カバー要素１３２が伸長位置にあるとき、表面係合部分１３６とマーキング端部１１４との間の軸方向距離１８８を制限し、（ｉｉｉ）ポスト要素１１０に回転不能に固定されるのが良い。さらに、マーキング装置のある特定の実施形態を用いる場合、ヘッド部分１１２の内側フェース１３０がスライドマウントスロット１０４の内面に摩擦係合し、カバー要素１２０を回転させて締め付け要素１４２を動かしている間、ポスト要素１１０が回転するのを阻止することが望ましい場合がある。マーキング装置のある特定の実施形態は、この摩擦係合を容易にするよう摩擦係合ファセット１９６などを提供するのが良い。かかる場合、この方法は、回転ステップ中、引っ張り力２５０を対応のスライドマウントスロット１０４の軸方向外方でカバー要素１３２に及ぼすステップを更に含むのが良い。
【００３３】
これとは対照的に、この方法が回転モデル止め部材２０４を有するマーキング装置（例えば、図４１〜図４４に示されている装置１００ｆ）の実施形態を用いて実施されているとき、ヘッド部分１１２とスライドマウントスロット１０４の内面との間のかかる摩擦係合は、カバー部分１３２を回転させている間にポスト要素１１０の回転を阻止する必要はない場合があり、というのは、回転戻り止め部材２０４が取り付けリップの縁部に接触してポスト要素１１０の回転を阻止することができるからである。これについては、例えば、図４４Ａを参照されたい。しかしながら、スロット幅が十分大きい場合、ユーザは、保持要素１２０及びかくしてポスト要素１１０の回転を阻止するようマーキング装置を静止状態に保持することが必要な場合がある。これについては、例えば、図８を参照されたいが、この場合、ユーザがカバー要素１３２を回転させてマーキング装置１００ｆを物体１０２に対して剛性的に締め付けている間、ユーザの親指は、マーキング装置を押している。全ての実施形態に関し、装置１１０は、カバー要素１３２を回転させている間、スロット閉鎖端部１７７の方へ保持される必要があり、その目的は、ポスト要素１１０がスライドマウントスロットの外方に歩くのを阻止することにある。
【００３４】
追加的に又は代替的に、カバー保持戻り止め１５０がトルクがけツール１８２と係合した状態でマーキング装置を用いて本方法を実施しているとき、この方法は、回転ステップ中、カバー保持戻り止め１５０とトルクがけツール１８２との係合によって主軸線１１８回りのポスト要素１１０の回転を阻止するステップを更に含むのが良い。図４５〜図４７に示されているように、この方法のある特定の実施形態では、カバー保持戻り止め１５０は、トルクがけツール１８２と係合可能な１対の互いに反対側に設けられたトルク係合溝１８３を有するのが良い。図５０及び図５１は、変形実施形態としてのトルクがけツール１８２を示しており、このトルクがけツールは、物体保持要素１２０のグリップ部分１２４と係合関係をなして配置されるよう構成された１つ又は２つ以上のねじりロックアーム２３２を有する。この形態により、トルクがけツール１８２は、カバー要素１３２が完全に回転可能な状態のままにある間、ポスト要素１１０が物体保持要素１２０に対して回転するのを阻止することができる。
【００３５】
図３０及び図３１を参照すると、一実施形態としてのマーキング装置１００ｂが示されており、この実施形態では、締め付け要素は、１つ又は２つ以上のナット及び１つ又は２つ以上のワッシャで作られている。トルクツール１３８がトルクがけ状態でナットに係合してこの実施形態の締め付け要素をその解除位置とロック位置との間で動かすよう設けられている。
【００３６】
図４８及び図４９を参照すると、一実施形態としてのマーキング装置１００ｉが示されており、この実施形態では、マーキング端部１１４は、ねじ式カプラ２００によってシャフト部分１１６に連結されたマーキング端部ねじ１９８によって形成されている。図４８及び図４９では、マーキング端部ねじ１９８は、フィリップス型ヘッド（十字付きヘッド）を有する。かくして、必要ならば、ユーザがフィリップスねじ（プラスねじ）ねじ回しを用いることができ、その目的は、カバー要素１３２の回転中、ポスト要素１１０の回転を阻止することにある。
【００３７】
図５０及び図５１を参照すると、一実施形態としてのマーキング装置１００ｊが特別な形をしたトルクがけツール１８２と関連して設けられ又は違ったやり方で関連しているのが良い。かかるトルクがけツールは、例えば、物体保持要素１２０のグリップ部分１２４（又はその他）に設けられた対応のグリップ孔１２５と係合可能な１つ又は２つ以上のねじりロックアーム２３２を有するのが良い。かかるトルクがけツールの中央部分は、ポスト要素１１０に回転不能に取り付けられたカバー保持戻り止め１５０に磁気的に係合するよう構成されているのが良い。かくして、特定の形をしたトルクがけツールは、カバー要素１３２を回転させて締め付け要素１４２をそのロック位置の方へ動かしている間、トルクがけツールが物体保持要素１２０に対するポスト要素１００の回転を阻止することができるようマーキング装置１００ｊに係合するのが良い。オプションとして、ねじりロックアーム２３２は、特定の実施形態では、トルクがけツール１８２をマーキング装置１００ｊと係合関係をなして取り外し可能に保持するようトルクがけツール１８２の中央部分の外方に角度をなして弾性的に付勢されても良い。
【００３８】
図５７〜図６６を参照すると、安全確実スライドマウント式アダプタの実施形態が全体として１６８ａ，１６８ｂで示されている。かかるアダプタは、物体がそれ自体の一体形スライドマウント特徴（例えば、物体の後部に設けられた鍵穴スロット）を有していない場合、締結具ヘッド１０７を有する締結具１０６によって物体を取り付け面１０８にスライドマウントを容易にするために物体１０２に取り付けられるよう構成されている。図５７〜図６６に示されているスライドマウント式アダプタ１６８ａ，１６８ｂは、物体が例えば、地震の際に締結具１０６から外れるのを阻止するのを助ける仕方で物体を取り付け面１０８に取り付けやすくするのに特に好適である。例えば、図６１を参照すると、地震の際における物体１０２のランダムで協調されていない垂直運動２４０と水平運動２４２は、スロット１７６が締結具１０６を横切って物体１０２を取り付け面から外すのには不十分である。
【００３９】
安全確実スライドマウント式アダプタ好ましい実施形態は、ベースプレート１７２及び締結具スロット１７６を有するのが良い。ベースプレート１７２は、好ましくは、安全確実スライドマウント式アダプタを例えば、釘、ねじなどによって対応の物体１０２に取り付ける際に用いられる少なくとも２つの取り付け孔１８０を有するのが良い。締結具スロット１７６は、好ましくは、締結具ヘッド開口部（１７０，１７４）とスロット閉鎖端部１７７との曲がりくねった経路に沿って延びるのが良い。図６２〜図６４を参照すると、アダプタ１６８ｂのある特定の実施形態では、締結具ヘッド開口部１７０は、ベースプレート１７２の周縁部２３０のところに配置されるのが良い。締結具スロット１７６の少なくとも一部分は、ヘッドチャネル部分２１２及び細いシャフトチャネル部分２１４を有するのが良い。シャフトチャネル部分２１４は、内方に突き出た取り付けリップ１７８によって少なくとも部分的に構成されるのが良い。
【００４０】
図５７及び図６２を参照すると、安全確実スライドマウント式アダプタの実施形態では、締結具スロット１７６は、近位軸線２１８に沿ってスロット閉鎖部分１７７から延びる近位セグメント２１６、遠位軸線２２２に沿って締結具ヘッド開口部（１７０又は１７４）から延びる遠位セグメント２２０、及び近位セグメントと遠位セグメントの間に延びる中間セグメント２２４を有するのが良い。近位セグメントと遠位セグメントは、好ましくは、互いに側方にオフセットしているのが良く、対応の近位軸線と遠位軸線は、互いに平行であり又は平行ではない。
【００４１】
説明のために図６６を参照すると、安全確実スライドマウント式アダプタの特定の実施形態では、シャフトチャネル部分２１４は、近位セグメントのところよりも中間セグメント２２４のところの方が大きいシャフトチャネル幅２２８を有するのが良い。かかる構成は、対応のマーキング装置ポスト要素１１０がアダプタの中間セグメント２２４を通って側方に動かされている間、回転戻り止め部材２０４が締結具スロット１７６を横切ることができるのに特に好適であると言える。
【００４２】
安全確実スライドマウント式アダプタのある特定の実施形態では、中間セグメント２２４は、中間軸線２２６に沿って延びるのが良い。かかる実施形態では、近位軸線２１８と遠位軸線２２２は、互いに平行であるのが良く、中間軸線２２６は、近位軸線に対して１８０°未満の角度をなして差し向けられるのが良い。例えば、中間軸線２２６は、近位及び遠位軸線に垂直であっても良く又はこれら３つの軸線の組み合わせは、例えば、“Ｎ”型などを形成しても良い。
【００４３】
図６７〜図６９は、マーキング物質が経時的に乾燥するのを阻止するために使用できる種々のアプリケータシールを示している。例えば、図６７に示されているように、キャップ型マーキングアプリケータ１５５ａは、接着剤の特性を備えた再使用可能又は使い捨てフィルム２４４を採用するのが良い。図６８を参照すると、取り外し可能なアプリケータシール２４６は、マーキングアプリケータと内部スナップ嵌め、圧力嵌め又は螺合によって係合関係をなすよう構成されているのが良い。図６９を参照すると、取り外し可能なアプリケータシール２４８は、マーキングアプリケータと外部スナップ嵌め又は圧力嵌めにより係合関係をなすよう構成されているのが良い。同様に、図７０〜図７２は、マーキング物質がプランジャ型アプリケータにおいて経時的に乾燥するのを阻止するために使用できる種々のアプリケータシールを示している。図７０を参照すると、取り外し可能なアプリケータシール２４６は、アプリケータ本体１６２の送り出し部分１６１に内部スナップ嵌め又は圧力嵌めにより係合関係をなすよう構成されている。図７１を参照すると、取り外し可能なアプリケータシール２４６は、アプリケータ本体１６２の送り出し部分１６１と内部で螺合するよう構成されている。図７２を参照すると、取り外し可能なアプリケータシール２４８は、アプリケータ本体１６２の送り出し部分１６１と外部スナップ嵌め又は圧力嵌めにより係合関係をなすよう構成されている。
【００４４】
図７３を参照すると、例示の流れ図４００が本発明のブラインド的スライドマウント式マーキング装置、特にシャフト部分の側方に設けられる回転戻り止め部材を備えていないマーキング装置を用いる一実施例としての全体的方法を示している。
【００４５】
図７４を参照すると、例示の流れ図５００が本発明のブラインド的スライドマウント式マーキング装置、特にシャフト部分の側方に設けられた回転戻り止め部材を備えているマーキング装置を用いる一実施例としての全体的方法を示している。
【００４６】
マーキング装置は、別な言い方としては、ブラインド的スライドマウント式取り付け場所突き止め装置又は単に「器具」又は「装置」という場合がある。１つ又は２つ以上のかかる器具又は装置を含むキットを製作して販売することができるということが想定される。本明細書において説明するとともにクレーム請求されるマーキング装置の実施形態により、取り付けられるべき物理的物体をそれ自体の取り付け「テンプレート」として使用することができ、それにより（ａ）紙型（ペーパーテンプレート）又は測定値を使用する必要なく、しかも（ｂ）近くの物品及び視覚的魅力に対する潜在的妨害を考慮した上で取り付け面上の取り付け場所の精度が保証される。
【００４７】
マーキング装置の実施形態は、ブラインド的スライドマウント式手段（例えば、鍵穴など）付きで売られる任意の物品及びブラインド的スライドマウント式アダプタの取り付けに対応することができる任意他の物体に使用可能に構成されているのが良い。後者に関し、物体１０２上への例えば、図５７〜図６６に示されているアダプタのほぼ正確な配置を必要とするに過ぎず、というのは、ブラインド的スライドマウント式取り付け穴ロケータシステムは、物体１０２上のアダプタの水平又は垂直位置の精度とは無関係に取り付け面１０８上への物体１０２の正確な視覚的位置合わせを可能にするからである。
【００４８】
マーキング装置の好ましい実施形態は、１つ又は２つ以上のスライドマウントスロット１０４のための手段を備えた状態で取り付けられるべき物体に使用できる。かかる手段としては、例えば、物体１０２と一体に形成された１つ又は２つ以上のスライドマウントスロット１０４又は物体の表面に取り付けられたアダプタに形成されているスライドマウントスロット１０４が挙げられる。前者の実施例としては、多くの従来型電源ストリップ、フォンベース、フォンハンドセット充電ベース、ネットワークルータ、ケーブルボックス、小型電化製品ベースなどが挙げられる。後者の例としては、鏡、額縁、装飾壁用品などが挙げられる。
【００４９】
「スライドマウント」という用語は、好ましくは、本明細書では、取り付け面１０８内又は取り付け面１００上に設けられる取り付けハードウェアのヘッドに係合する開口部、例えば、スロットを有する取り付け受け具、鍵穴を意味するために用いられている場合がある。
【００５０】
「ブラインド」という用語は、本明細書では、スライドマウントが取り付けられるべき物体の背後又は後部上に位置していると仮定して、取り付け面上のスライドマウント締結具取り付け場所を見ることができず、そして直接的にマーキングすることができないことを説明するために用いられている場合がある。
【００５１】
「取り付けハードウェア」という用語は、好ましくは、本明細書においては、取り付け場所のところで取り付け面内又は取り付け面上に配置されていてスライドマウントスロットに係合するハードウェア用品を意味するために用いられている場合がある。取り付けハードウェアの例としては、ねじ、釘、ボルト、壁掛け用金具などが挙げられる。
【００５２】
「中央ポスト」（又はポスト要素１１０）という用語は、好ましくは、本明細書では、第１の端部、第２の端部、及び中央区分（例えば、シャフト部分１１６）を有する中央構造要素を意味するよう用いられている場合がある。第１の端部は、ヘッド部分１１０を含む場合がある。第２の端部は、マーキング先端部１１４を含む場合がある。中央区分（シャフト部分１１６）の外面は、好ましくは、螺旋隆起部（例えば、ねじ山）で少なくとも部分的に覆われているのが良い。
【００５３】
ヘッド部分１１２は、ポスト要素１１０の第１の端部のところに設けられるのが良く、このヘッド部分は、好ましくは、下側／内側からスライドマウントスロットに係合して把持するよう構成された突起の形態をしているのが良い。
【００５４】
保持面（例えば、物体保持要素１２０）がこれとポスト要素１１０のヘッド要素１１２との間でスライドマウントリップ材料をサンドイッチするよう外面からスライドマウントスロット１０４に係合するようになっているのが良い。物体保持要素１２０は、フィンガーグリップ部分１２４を含むのが良く又はこれらと一体であるのが良い。
【００５５】
締め付け要素１４２は、好ましくは、物体保持要素１２０、スライドマウント材料（例えば、鍵穴スロットリップ１０５）、及びヘッド部分１１２を互いに締め付けるために設けられているのが良い。締め付け要素１４２をねじ山付きシャフト部分１１６に沿ってヘッド部分１１２に螺進させたりヘッド部分１１２から螺進させたりすることは、好ましくは、端部カバー（カバー要素１３２）の対応の回転によって駆動されるのが良い。
【００５６】
弾力付勢要素１２６が、締め付け要素１４２をその保持又はロック位置に移動させるまで（例えば、「締め付けられる」まで）付勢力を保持要素１２０に及ぼしてヘッド部分１１２を物体の対応のスライドマウントスロット内に一時的に保持するよう構成されているのが良い。付勢要素はまた、カバー要素１３２をその伸長位置（例えば、図２３参照）に向かって弾力的に押してマーキング先端部をマーキングされるべき表面から遠ざけた状態に保ち、ついには、マーキングされるべき物体１０２が押されて取り付け面１０８をマーキングするようになる（例えば、図２４参照）。付勢要素１２６は、圧縮ばね、板ばね（例えば、図３６の物体保持要素を参照されたい）などの形態をしているのが良い。図５及び図３３を参照すると、マーキング装置のある特定の好ましい実施形態では、カバー要素１３２は、ばね要素１２６がマーキング装置の作動中、主軸線１１８の側方に滑らないようにするためにばね位置合わせ溝２３４、ばね位置合わせボス２３６などを有するのが良い。
【００５７】
「グリップ範囲」（環状スロット又はリップ溝１２８）という用語は、本明細書では、フィンガーグリップ部分１２４をカバー要素１３２に向かって完全に引き戻したときに作られるヘッド部分１１２と物体保持要素１２０との間の最大隙間を説明するために用いられている場合がある。隙間範囲は、対応のマーキング装置によって対応可能な最大スライド取り付けリップ材料の厚さを定めることができる。
【００５８】
特定の実施例について図５７〜図６６を参照すると、１つ又は２つ以上の安全確実スライドマウント式アダプタ（例えば、１６８ａ，１６８ｂ）が十分な取り付け表面積を有する物体に付加されるのが良い。説明のために図６１を参照すると、安全確立スライドマウント式アダプタは、互いに角度をなして差し向けられた連続スロットの２つ又は３つ以上のセットを有するのが良く、その結果、２つ又は３つ以上の異なる方向性運動（例えば、垂直２４０及び水平２４２）の特定の協調が物体１０２を取り付け面１０８に取り付け又は物体１０２を取り付け面１０８から取り外すために必要である。
【００５９】
器具又は装置１００の好ましい実施形態は、ブラインド的スライドマウント式取り付けシステム（例えば、鍵穴特徴部）を利用する物体１０２を取り付けるための１つ又は２つ以上の取り付け存在場所をマーキングするために使用できる。ポスト要素１１０は、一端のところに位置するヘッド部分１１２と他端のところにマーキング端部又は先端部１１４をこれらの間にねじ山が設けられた状態で有するのが良く、このポスト要素は、スライドマウントの最も小さな部分よりも小さな直径を有するのが良い。
【００６０】
ヘッド部分１１２は、スライドマウントに係合するようマウントスロット１０４よりも大径であるのが良い。幾つかの実施形態では、ヘッド部分１１２の下側は、スライドマウント材料（例えば、スロットリップ１０５）との摩擦接触具合を増大させるよう何らかの仕方で処理されるのが良い。
【００６１】
物体保持要素１２０を引き戻してヘッド部分１１２及びシャフト部分１１６をスライドマウントスロット１０４中に容易に挿入するための環状スロットリップ溝又はリップ溝１２８を形成することができるとともにユーザがスライドマウントスロット内における正確な中央ポストの位置を視覚的に確かめることができるようにするために一体形フィンガーグリップ部分１２４が設けられるのが良い。
【００６２】
マーキング装置を物体１０２のスライドマウントに固定するための締め付け要素１４２が設けられるのが良い。
【００６３】
カバー要素１３２のある特定の好ましい実施例は、滑らかなフェースを有するのが良くかつポスト要素１１０と同心であるのが良い。カバー要素は、物体が取り付け面１０８の方へ押されると、引っ込み位置（例えば、図２４参照）に動かされるようになっているのが良く、それによりマーキング端部１１４上のマーキング物質１５４は、取り付け締結具１０６が配置されるべき場所を取り付け面１０８にマーキングすることができる。取り付け締結具１０６は、好ましくは、締結具ヘッド１０７を有するのが良い。例えば、図２３に示されているマーキング要素１００の幾つかの実施形態では、カバー要素１３２は、表面係合部分１３６を有し、この表面係合部分は、マーキングに先立つ物体の位置合わせ中、取り付け面１０８を横切る滑らかな並進（摺動）運動を保証するよう丸みが付けられ又は斜切された縁部を有するのが良い。
【００６４】
ポスト要素１１０と同心に付勢要素１２６が位置決めされるのが良く、この付勢要素は、好ましくは、締め付け要素１４２がその保持又はロック位置（例えば、図１６参照）に動かされるまでヘッド部分１１２をスライドマウントスロット１０４の取り付けリップ１０５に当てて定位置に保持するとともに取り付け面１０８のマーキング押し作用が実施されるまで引っ込み可能なカバー要素１３２をその伸長位置に保つという多くの目的に役立つことができる。
【００６５】
マーキング装置１００のある特定の観点の機能的可能性及び制限は、そのコンポーネントの寸法相互間の相互作用によって定められるのが良い。例えば、グリップ範囲は、ポスト要素１１０及び締め付け要素１４２の長さ並びにロック機構体１５０の位置で決まる場合がある。また、カバー要素がその伸長位置にあるときにカバー要素１３２の表面係合部分１３６の下に位置するマーキング端部１１４の距離は、ポスト要素１１０及びカバー要素１３２のそれぞれの長さ、カバー要素１３２の底部の厚さ、及びロック機構体１５０の位置で決まる場合がある。同様に、付勢要素１２６により提供される力は、付勢要素の長さ、ポスト要素１１０及び締め付け要素１４２の長さ、カバー要素１３２の底部の厚さ及びロック機構体１５０の位置で決まる場合がある。カバー要素１３２内における締め付け要素１４２の係合量は、ポスト要素１１０及び締め付け要素１４２の長さ、カバー要素１３２の底部の厚さ、及びロック機構体の位置で決まる。
【００６６】
図１２〜図１６を参照すると、キャップ型マーキング先端部アプリケータ１５５ａがアプリケータキャップ１５６及びフィンガーグリップ部分１２４を互いに向かって押してヘッド部分１１２を伸長させて装置１００を物体１０２に取り付けたときに自動的に働くようになっているのが良い（例えば、図１３及び図１４参照）。これらの力により、カバー要素１３２は、その引っ込み位置に動くことができ、それによりマーキング端部１１４をアプリケータ１５５ａのマーキングパッド１６０内に押し込み、ここで、マーキング端部１１４は、マーキング物質１５８のパッチ１５４を拾い上げることができる。幾つかの場合、キャップ型マーキング先端部アプリケータ１５５ａは、好ましくは、アプリケータキャップ１５６の回転によりカバー要素１３２が同一方向に回転するように構成されているのが良い。図１３及び図１４を参照すると、ロック要素１５０は、一部がアプリケータキャップ１５６の内面のところでシャフト戻り部分１５７に係合してマーキング先端部１１４がアプリケータリザーバ１６４に向かって移動することができる距離を制限するようになっているのが良い。
【００６７】
図１８〜図２２を参照すると、プランジャ型マーキング先端部アプリケータ１５５ｂがマーキング端部１１４の近くに位置するシャフト部分１１６の部分上を摺動し又はこれに螺合するよう設けられるのが良い。プランジャ要素１６６がマーキング端部１１４上への粘性の高いマーキング物質１５８は、（リップスティック、塗料、クレヨン、釘磨き剤、チョークなど）の押し出しを可能にすることができる。変形例では、プランジャ機構体に代えて、液体マーキングパッドを用いることができる。さらに、装置１００のある特定の好ましい実施形態は、正規のマーキング先端部アプリケータを利用しないで使用できる。かかる場合、ユーザによって選択されたマーキング物質を手作業でかつ直接マーキング端部１１４に塗布することができる。キャップ型マーキング先端部アプリケータ及びプランジャ型マーキング先端部アプリケータのある特定の実施形態では、アプリケータリザーバ１６４は、詰め替え可能であるのが良い。
【００６８】
本発明のマーキング装置及び関連方法の好ましい実施形態の利点としては、以下の内容、すなわち（ａ）取り付けられるべき物体を位置合わせ「テンプレート」として使用することができ、それにより他の近くの物体を邪魔しないで正確かつ視覚的に見栄えの良い取り付けを保証することができること、（ｂ）紙型又は測定値が取り付け穴の配置場所を定める必要性がないこと、（ｃ）全てのスライドマウント材料、及び事実上全てのスライドマウントスロット構成で役立つこと、（ｄ）マーキング装置が取り付けられるべき物体に対して安全確実な締め付けを行って取り付け面上における取り付け穴配設場所の誤差をなくすことができるということ、（ｅ）マーキング装置が近くの任意の取り付け面（軟質又は硬質）で役立つこと、（ｆ）マーキングのための広範なありふれた物質を採用することができ、それにより暗い、明るい、又は着色された取り付け面のためのマーキング色の選択が可能であること、（ｇ）引っ込み可能／伸長可能なマーキング端部が位置決め中、取り付け面上に偶発的なマークを表示させず、マーキングは、取り付けられるべき物体のプッシュトゥマーク（push-to-mark：押してマーキングする）作用によって達成できるということ、（ｈ）「浮動」式締め付け要素によりカバー要素がその伸長位置にあるときにマーキング端部がカバー要素の表面係合部分の下に常時同一の距離のところに位置し、それによりユーザに使用のたびに同じ押してマーキングする（感触）を与えることができるということ、（ｉ）フィンガーグリップを用いてスロット係合ヘッドを伸長させ、ポスト要素のシャフト部分がスロット端部のところに配置されているという視覚的確認を行うことができるということのうちの１つ、２つ以上又は全てが挙げられる。
【００６９】
本発明の実施形態を図示するとともに説明したが、これら実施形態が本発明の考えられる全ての形態を示すとともに説明しているわけではない。これとは異なり、明細書で用いられた用語は、本発明を限定するものではなく説明のための用語であり、本発明の精神及び範囲から逸脱することなく、種々の変更を行うことができるということは言うまでもない。
【図１】
2018534165.tif 000003
【図２】
2018534165.tif 000004
【図３】
2018534165.tif 000005
【図４】
2018534165.tif 000006
【図５】
2018534165.tif 000007
【図６】
2018534165.tif 000008
【図７】
2018534165.tif 000009
【図８】
2018534165.tif 000010
【図９】
2018534165.tif 000011
【図１０】
2018534165.tif 000012
【図１１】
2018534165.tif 000013
【図１２】
2018534165.tif 000014
【図１３】
2018534165.tif 000015
【図１４】
2018534165.tif 000016
【図１５】
2018534165.tif 000017
【図１６】
2018534165.tif 000018
【図１７】
2018534165.tif 000019
【図１８】
2018534165.tif 000020
【図１９】
2018534165.tif 000021
【図２０】
2018534165.tif 000022
【図２１】
2018534165.tif 000023
【図２２】
2018534165.tif 000024
【図２３】
2018534165.tif 000025
【図２４】
2018534165.tif 000026
【図２５】
2018534165.tif 000027
【図２６】
2018534165.tif 000028
【図２７】
2018534165.tif 000029
【図２８】
2018534165.tif 000030
【図２９】
2018534165.tif 000031
【図３０】
2018534165.tif 000032
【図３１】
2018534165.tif 000033
【図３２】
2018534165.tif 000034
【図３３】
2018534165.tif 000035
【図３４】
2018534165.tif 000036
【図３５】
2018534165.tif 000037
【図３６】
2018534165.tif 000038
【図３７】
2018534165.tif 000039
【図３８】
2018534165.tif 000040
【図３９】
2018534165.tif 000041
【図４０】
2018534165.tif 000042
【図４１】
2018534165.tif 000043
【図４２】
2018534165.tif 000044
【図４３】
2018534165.tif 000045
【図４４】
2018534165.tif 000046
【図４４Ａ】
2018534165.tif 000047
【図４４Ｂ】
2018534165.tif 000048
【図４５】
2018534165.tif 000049
【図４６】
2018534165.tif 000050
【図４７】
2018534165.tif 000051
【図４８】
2018534165.tif 000052
【図４９】
2018534165.tif 000053
【図５０】
2018534165.tif 000054
【図５１】
2018534165.tif 000055
【図５２】
2018534165.tif 000056
【図５３】
2018534165.tif 000057
【図５４】
2018534165.tif 000058
【図５５】
2018534165.tif 000059
【図５６】
2018534165.tif 000060
【図５７】
2018534165.tif 000061
【図５８】
2018534165.tif 000062
【図５９】
2018534165.tif 000063
【図６０】
2018534165.tif 000064
【図６１】
2018534165.tif 000065
【図６２】
2018534165.tif 000066
【図６３】
2018534165.tif 000067
【図６４】
2018534165.tif 000068
【図６５】
2018534165.tif 000069
【図６６】
2018534165.tif 000070
【図６７】
2018534165.tif 000071
【図６８】
2018534165.tif 000072
【図６９】
2018534165.tif 000073
【図７０】
2018534165.tif 000074
【図７１】
2018534165.tif 000075
【図７２】
2018534165.tif 000076
【図７３】
2018534165.tif 000077
【図７４】
2018534165.tif 000078
【国際調査報告】
2018534165.tif 000079
2018534165.tif 000080
2018534165.tif 000081